(57)【要約】【課題】外壁構造について新規な構造を提案する。【解決手段】横方向に隣接される一方の外壁材１の裏実部１１と、他方の外壁材１の裏実部１２を接合する箇所を含む外壁構造であって、両裏実部１１，１２の裏側に形成される空間Ｋに、柱４などの下地材に固定される接合用役物６の一部が納められた状態で外壁材１が接合されている、こととするものである。これにより、防水性を確保した上で、左右の縦端部に裏実部１１，１２が構成される外壁材１，１同士を左右に隣り合わせて接合する構成を実現でき、外壁材１については左右勝手が同一のものとなるため、施工時においては左右を意識する必要がなく、施工マニュアルの簡素化や、作業性の向上が図られる。【選択図】図２
2017115328.tif 000002
【特許請求の範囲】
【請求項１】
横方向に隣接される一方の外壁材の裏実部と、他方の外壁材の裏実部を接合する箇所を含む外壁構造であって、
前記両裏実部の裏側に形成される空間に、
下地材に固定される接合用役物の一部が納められた状態で外壁材が接合されている、外壁構造。
【請求項２】
横方向に隣接される一方の外壁材の裏実部と、他方の外壁材の段差加工のない縦端面を接合する箇所をさらに含み、
前記裏実部と、段差加工のない縦端面の裏側に形成される空間に、
下地材に固定される接合用役物の一部が納められた状態で外壁材が接合されている、
ことを特徴とする請求項１に記載の外壁構造。
【請求項３】
一方の外壁材と他方の外壁材を直交させて接合する箇所をさらに含み、
両外壁材の裏実部同士が対向されており、
両裏実部の裏側に形成される空間に、
下地材に固定される出隅用接合用役物の一部が納められた状態で外壁材が接合されて出隅が構成されている、
ことを特徴とする請求項１又は請求項２に記載の外壁構造。
【請求項４】
前記両裏実部と前記接合用役物の一部の間に止水材が介設される、
ことを特徴とする請求項１乃至３のいずれか一項に記載の外壁構造。
【請求項５】
横方向に隣接される一方の外壁材の裏実部と、他方の外壁材の裏実部を接合する部位を含む外壁の施工方法であって、
一方の外壁材の裏実部と、他方の外壁材の裏実部を対向させることで両裏実部の裏側に形成される空間に、下地材に固定される接合用役物の一部が挿入される工程、
を含む、外壁の施工方法。
【請求項６】
一方、及び／又は、他方の外壁材を切断して横方向の幅寸法を調整する工程と、
切断された縦端面に新たな裏実部を加工する工程と、
新たな裏実部と既存の裏実部同士を対向させることで両裏実部の裏側に形成される空間に、
又は、
新たな裏実部同士を対向させることで両裏実部の裏側に形成される空間に、下地材に固定される接合用役物の一部が挿入される工程と、
をさらに含む、ことを特徴とする請求項５に記載の外壁の施工方法。
【請求項７】
一方の外壁材と他方の外壁材を直交させて接合する工程と、
一方の外壁材の裏実部と、他方の外壁材の裏実部を対向させることで両裏実部の裏側に形成される空間に、下地材に固定される出隅用接合用役物の一部が挿入される工程と、
をさらに含む、ことを特徴とする請求項５又は請求項６に記載の外壁の施工方法。
【発明の詳細な説明】
【技術分野】
【０００１】
本発明は、外壁材（窯業系サイディング）にて外壁を構成するための技術に関するものであり、より詳しくは、外壁材の接合部の構造に関する。
【背景技術】
【０００２】
従来、例えば特許文献１に開示されるように、横方向に隣接される一方の外壁材の裏合じゃくり部と、他方の外壁材の段差加工の無い縦端面を接合する、外壁材の接合構造が知られている。この構成によれば、施工性に優れ、かつ、防水性に優れた外壁材の接合が実現される。
【先行技術文献】
【特許文献】
【０００３】
【特許文献１】特許第５２７９０８６号明細書
【発明の概要】
【発明が解決しようとする課題】
【０００４】
特許文献１で開示される構成では、外壁材について、左右方向の一側の縦端面に裏合じゃくり部が構成され、左右方向の他側に段差加工の無い縦端面が構成されるため、外壁材の左右の縦端面の構造が異なるものであった。
【０００５】
このため、外壁材の左右勝手が異なるものとなり、施工マニュアルには左右の取扱についての説明が必要となることや、施工時には作業員が外壁材の左右を意識して取り扱う必要がある。
【０００６】
なお、特許文献１では、施工現場での外壁材の合じゃくり加工を不要とすることを課題の一つとしており、外壁材の左右の一方の縦端面は必ず段差加工をしないことを前提としているものである。
【０００７】
また、別の課題として、接合用役物のパッキンを段差加工の無い縦端面にのみ当接させる構成であるとすると、作業者が接合用役物の左右を誤って取り付けてしまった場合には、止水性が低下してしまうことになる。
【０００８】
また、別の課題として、出隅部については、Ｌ字状の専用の出隅コーナー材を用いる必要があり、平板状の外壁材のみでは出隅部の納まりが実現できないものとなっている。
【０００９】
本発明は以上の問題に鑑み、外壁構造について新規な構造を提案するものである。
【課題を解決するための手段】
【００１０】
本発明の解決しようとする課題は以上の如くであり、次にこの課題を解決するための手段を説明する。
【００１１】
即ち、請求項１に記載のごとく、
横方向に隣接される一方の外壁材の裏実部と、他方の外壁材の裏実部を接合する箇所を含む外壁構造であって、
前記両裏実部の裏側に形成される空間に、
下地材に固定される接合用役物の一部が納められた状態で外壁材が接合されている、こととするものである。
【００１２】
また、請求項２に記載のごとく、
横方向に隣接される一方の外壁材の裏実部と、他方の外壁材の段差加工のない縦端面を接合する箇所をさらに含み、
前記裏実部と、段差加工のない縦端面の裏側に形成される空間に、
下地材に固定される接合用役物の一部が納められた状態で外壁材が接合されている、こととするものである。
【００１３】
また、請求項３に記載のごとく、
一方の外壁材と他方の外壁材を直交させて接合する箇所をさらに含み、
両外壁材の裏実部同士が対向されており、
両裏実部の裏側に形成される空間に、
下地材に固定される出隅用接合用役物の一部が納められた状態で外壁材が接合されて出隅が構成されている、こととするものである。
【００１４】
また、請求項４に記載のごとく、
前記両裏実部と前記接合用役物の一部の間に止水材が介設される、こととするものである。
【００１５】
また、請求項５に記載のごとく、
横方向に隣接される一方の外壁材の裏実部と、他方の外壁材の裏実部を接合する部位を含む外壁の施工方法であって、
一方の外壁材の裏実部と、他方の外壁材の裏実部を対向させることで両裏実部の裏側に形成される空間に、下地材に固定される接合用役物の一部が挿入される工程、
を含むこととするものである。
【００１６】
また、請求項６に記載のごとく、
一方、及び／又は、他方の外壁材を切断して横方向の幅寸法を調整する工程と、
切断された縦端面に新たな裏実部を加工する工程と、
新たな裏実部と既存の裏実部同士を対向させることで両裏実部の裏側に形成される空間に、
又は、
新たな裏実部同士を対向させることで両裏実部の裏側に形成される空間に、下地材に固定される接合用役物の一部が挿入される工程と、
をさらに含む、こととするものである。
【００１７】
また、請求項７に記載のごとく、
一方の外壁材と他方の外壁材を直交させて接合する工程と、
一方の外壁材の裏実部と、他方の外壁材の裏実部を対向させることで両裏実部の裏側に形成される空間に、下地材に固定される出隅用接合用役物の一部が挿入される工程と、
をさらに含む、こととするものである。
【発明の効果】
【００１８】
本発明の効果として、以下に示すような効果を奏する。
【００１９】
即ち、請求項１に記載の発明においては、
防水性を確保した上で、左右の縦端部に裏実部が構成される外壁材同士を左右に隣り合わせて接合する構成を実現でき、外壁材については左右勝手が同一のものとなるため、施工時においては左右を意識する必要がなく、施工マニュアルの簡素化や、作業性の向上が図られる。
【００２０】
また、請求項２に記載の発明においては、
施工現場において適宜外壁材の幅方向の寸法を調整して施工を行うことができる。
【００２１】
また、請求項３に記載の発明においては、
外壁材を付け合せて出隅部を構成することが可能となり、出隅コーナー材を用いずに出隅を納めることができる。
【００２２】
また、請求項４に記載の発明においては、
止水材により、接合部の止水性を高めることができる。
【００２３】
また、請求項５に記載の発明においては、
防水性を確保した上で、左右の縦端部に裏実部が構成される外壁材同士を左右に隣り合わせて接合する構成を実現でき、外壁材については左右勝手が同一のものとなるため、施工時においては左右を意識する必要がなく、施工マニュアルの簡素化や、作業性の向上が図られる。
【００２４】
また、請求項６に記載の発明においては、
施工現場において適宜外壁材の幅方向の寸法を調整して施工を行うことができる。
【００２５】
また、請求項７に記載の発明においては、
外壁材を付け合せて出隅部を構成することが可能となり、出隅コーナー材を用いずに出隅を納めることができる。
【図面の簡単な説明】
【００２６】
【図１】本発明の一実施形態に係る外壁材の構成について示す斜視図。
【図２】左右に隣り合う外壁材の接合部について説明する平面図。
【図３】（Ａ）は裏実部の構成について説明する平面断面図。（Ｂ）は接合部における各部材の構成について説明する平面断面図。
【図４】接合用役物の構成について説明する斜視図。
【図５】（Ａ）は外壁材の貼り方について説明する図。（Ｂ）は接合の一形態の例について示す図。（Ｃ）は接合の他の形態の例について示す図。
【図６】外壁材を用いた出隅部の構成について示す平面図。
【発明を実施するための形態】
【００２７】
以下、本発明の実施例について説明する。なお、以下の説明において、位置関係の説明において使用する「裏」の用語は建物室内に近い側を意味し、「表」の用語は建物室内から遠い側を意味するものとする。
【００２８】
図１に示すように、外壁材１には、左右方向Ｘ（幅方向Ｘ）における左側の端部１Ｌに、裏側が切り欠かれるようにして段差を構成する裏実部１１が構成され、同様に、右側の端部１Ｒにも裏実部１２が構成される。このように、外壁材１の幅方向Ｘの両端に、それぞれ、裏実部１１，１２が構成されることで、左右勝手が同一の外壁材が構成される。なお、本明細書中において用いられる左、右の用語は各図において位置関係を明確に説明するために便宜的に用いられるものであり、左右の位置を限定することを目的とするものではない。
【００２９】
また、上下方向Ｚにおける上端部１Ｈには、表側が切り欠かれるようにして段差を構成する表実部１３が構成され、下端部１Ｄには、裏側が切り欠かれるようにして段差を構成する裏実部１４が構成される。そして、下側の外壁材１の上端部１Ｈの表実部１３に対し、上側の外壁材１の下端部１Ｄの裏実部１４を上から覆い被せるようにすることで、上下の外壁材１，１同士が接合される。
【００３０】
また、図２に示すように、左右に隣り合う外壁材１，１は、裏実部１１，１２を対向させた状態で接合される。外壁材１，１は、それぞれ、固定部材２０，２０により柱４に留め付けられる。固定部材２０，２０は下地材としての柱４に留め付けられるほか、胴縁や下地合板などの下地材に固定される場合もある。
【００３１】
左右の外壁材１，１の接合部Ｓとなる箇所には、接合用役物６が配置される。接合用役物６は長尺の部材にて構成され、柱４に対しビス７にて留め付けられ、その一部が裏実部１１，１２の裏側に形成される空間Ｋに挿入された状態で納められる。
【００３２】
接合用役物６は、その左右方向から外壁材１の裏実部１１，１２を突き合わせることで、外壁材１の位置決めの機能を果たすとともに、外壁材１の裏側の一部に接触することで、接合部Ｓからの外壁材１の裏側への水の浸入を防止する止水機能を果たすものである。止水機能をより効果的に発揮させるために、裏実部１１，１２に対し裏側から密着する止水材８を接合用役物６に設けることが好ましい。
【００３３】
図３（Ａ）に示すように、左側の外壁材１の右側の端部には裏実部１１が構成されている。裏実部１１は、外壁面を構成する突出部１１ａと、突出部１１ａの裏側の切り欠き部１１ｂと、を有して構成される。切り欠き部１１ｂにおいては、突出部１１ａの裏側面を構成する裏実裏面１１ｘと、裏実裏面１１ｘと略直交する裏見込み面１１ｙが形成される。裏見込み面１１ｙは、外壁材１の裏面１ｂと略直交しつつ、当該裏面１ｂと連続する。右側の外壁材１の裏実部１２も同様である。
【００３４】
図３（Ｂ）に示すように、両裏実部１１，１２を左右方向に対向させて突き合わせた状態においては、両切り欠き部１１ｂ，１２ｂにより、裏側に向かって開放される略コ字状の空間Ｋが構成される。この空間Ｋは、縦方向に延びる縦溝空間を構成する。
【００３５】
そして、このように空間Ｋが形成されることで、図２及び図３（Ｂ）に示すように、接合用役物６に裏実部１１，１２を突き合わせた状態では、空間Ｋ内に接合用役物６の一部が納められる。
【００３６】
図３（Ｂ）及び図４に示すように、接合用役物６は、外壁材１よりも室内側に配置される防水シート５側に固定される第一の固定面部６１と、第一の固定面部６１から室外方向に延設され、一方の外壁材１の裏実部１１の裏見込み面１１ｙに対面する第一の見込み面部６２と、両外壁材１，１の裏実部１１，１２の裏実裏面１１ｘ，１２ｘに対面する見付面部６３と、他方の外壁材１の裏実部１２の裏見込み面１２ｙに対面する第二の見込み面部６４と、防水シート５側に固定される第二の固定面部６５と、を有して構成される。
【００３７】
図３（Ｂ）に示す例では、接合用役物６と柱４（防水シート５）の間にスペーサー６７，６７が介設される。このスペーサー６７，６７は、外壁材の厚みや通気空間の有無などによって適宜用いられる。スペーサー６７，６７は、第一の固定面部６１と第二の固定面部６５の裏側に接着剤にて貼付されて一体化されることとするほか、接合用役物６と別体のものをビス７の打ち込みにより固定することとしてもよい。
【００３８】
接合用役物６は、第二の固定面部６５に打ち込まれるビス７により柱４に対して留め付けられる。ここで、第二の固定面部６５の幅は、第一の固定面部６１よりも広く構成され、ビス７のビス頭を納めることができるように構成される。また、第一の固定面部６１の幅が狭く構成されることで、接合用役物６の全体の幅を狭く構成されてコンパクト化を図ることができ、他の部材との配置関係において、接合用役物６の設置箇所の自由度が高められる。
【００３９】
また、図３（Ｂ）及び図４に示すように、見付面部６３には板状の止水材８が設けられ、止水材８が両外壁材１，１の裏実部１１，１２の裏実裏面１１ｘ，１２ｘに当接する。これにより、接合部Ｓの隙間（裏実部１１，１２の突出部１１ａ，１２ａ同士の間の隙間）から水が浸入する場合であっても、この水を止水材８にて止水することができ、外壁材１の裏側への水の浸入を防止することができる。
【００４０】
止水材８は、弾性のあるゴムやプラスチック（樹脂）等で構成することが好ましい。これにより、裏実裏面１１ｘ，１２ｘとの密着性が高まり、高い止水性を確保することができる。なお、止水材８を設けずに、見付面部６３を裏実裏面１１ｘ，１２ｘに直接密着させて、止水性を確保することとしてもよい。
【００４１】
また、図２に示すごとく、第一の固定面部６１において、第一の見込み面部６２の反対側となる位置には、第三の見込み面部６８が室外方向に延設されており、この第三の見込み面部６８の先端に形設される止水部６８ａが、外壁材１の裏面１ｂに当接し得るようになっている。これにより、第一の固定面部６１と、第一の見込み面部６２と、裏面１ｂと、第三の見込み面部６８によって取り囲まれた上下方向の縦溝部７０ａが形成されるようになっている。なお、止水部６８ａについては、図３（Ｂ）に示すように折り返して設けるほか、裏面１ｂと平行に設けて裏面１ｂに当接させ、止水部６８ａと裏面１ｂの間に幅を有するシール面を構成することとしてもよい。
【００４２】
同様に、図２に示すごとく、第二の固定面部６５において、第二の見込み面部６４の反対側となる位置には、第四の見込み面部６９が室外方向に延設されており、この第四の見込み面部６９の先端に形設される止水部６９ａが、外壁材１の裏面１ｂに当接し得るようになっている。これにより、第二の固定面部６５と、第二の見込み面部６４と、裏面２ｂと、第四の見込み面部６９によって取り囲まれた上下方向の縦溝部７０ｂが形成されるようになっている。なお、止水部６９ａについては、図３（Ｂ）に示すように折り返して設けるほか、裏面２ｂと平行に設けて裏面２ｂに当接させ、止水部６９ａと裏面２ｂの間に幅を有するシール面を構成することとしてもよい。
【００４３】
以上のような接合用役物６の構成とすることで、接合用役物６による接合部Ｓの止水を確保することができる。また、図３（Ｂ）に示すように、接合用役物６は第一の固定面部６１と第二の固定面部６５の幅寸法は異なるものの左右対称に構成されているため、左右反転しても用いることが可能であり、施工時においては左右を意識する必要がなく、施工マニュアルの簡素化や、作業性の向上が図られる。
【００４４】
次に、外壁材の貼り方に関する内容について説明する。
図５（Ａ）に示すように、左右に裏実部１１，１２が形成される外壁材１を左右方向に張り合わせることで一連の外壁が構成される。外壁材１は、左右方向Ｘの中央部から順に取り付けることとする他、右端／左端から一方向に順に取り付けることができる。
【００４５】
また、出隅部においては、外壁材１を二つに切断して外壁材１Ａ，１Ｂを構成し、両者を直交して配置することで出隅部を構成することができる。これは、外壁材１について左右に裏実部１１，１２が構成されるために可能となるものであり、これにより、出隅コーナー材を用いずに出隅を納めることができる。なお、当然に外壁材１を切断せずに用いて出隅部を構成することも可能である。
【００４６】
図６は、出隅部の納まりの一例であり、出隅用接合用役物５０を介して外壁材１Ａ，１Ｂの裏実部１１，１２同士を接合する構成を示すものである。両裏実部１１，１２の裏側に形成される空間Ｋ１に、柱４などの下地材に固定される出隅用接合用役物５０の一部が納められた状態で外壁材１，１が接合されて出隅部墨部が構成されることとしている。
【００４７】
ここで、図５（Ｂ）に示すように、外壁材１Ａの切断端面について、新たな裏実部１５を形設するように段差加工することによれば、裏実部１５，１１同士を接合用役物６を用いて接合することができる。また、図５（Ｃ）に示すように、外壁材１Ａの切断端面は切りっ放しの縦端面１ｋとしておき、裏実部１１側にのみ一部が挿入される接合用役物６Ａを用いて接合をしてもよい。
【００４８】
また、図５（Ａ）に示すように、例えば、施工現場において、外壁材１Ｄを切断して幅を調整し、幅の狭い外壁材１Ｘを作製することとしてもよい。このように幅の狭い外壁材１Ｘを作製することで、施工現場の全体面幅Ｘｚに適宜対応することが可能となり、横幅寸法の異なる複数種類の外壁材を準備する必要がなく、一種類の外壁材により対応することが可能となる。なお、幅の狭い外壁材１Ｘについても、図５（Ｂ）又は（Ｃ）の接合の形態を採用することができる。
【００４９】
以上のようにして本発明を実施することができる。
即ち、図１及び図２に示すごとく、
横方向に隣接される一方の外壁材１の裏実部１１と、他方の外壁材１の裏実部１２を接合する箇所を含む外壁構造であって、
両裏実部１１，１２の裏側に形成される空間Ｋに、
柱４などの下地材に固定される接合用役物６の一部が納められた状態で外壁材１が接合されている、こととするものである。
【００５０】
これにより、防水性を確保した上で、左右の縦端部に裏実部１１，１２が構成される外壁材１，１同士を左右に隣り合わせて接合する構成を実現でき、外壁材１については左右勝手が同一のものとなるため、施工時においては左右を意識する必要がなく、施工マニュアルの簡素化や、作業性の向上が図られる。また、外壁材１が横方向にずれようとした場合には、裏実部１１，１２が接合用役物６に突き当たることで、外壁材１の横ズレを防止することができる。
【００５１】
また、図５（Ａ）及び（Ｃ）に示すように、
横方向に隣接される一方の外壁材１の裏実部１１と、他方の外壁材１Ａの段差加工のない縦端面１ｋを接合する箇所をさらに含み、
裏実部１１と、段差加工のない縦端面１ｋの裏側に形成される空間に、
下地材に固定される接合用役物６Ａの一部が納められた状態で外壁材が接合されている、こととする。
【００５２】
施工現場において適宜外壁材の幅方向の寸法を調整して施工を行うことができる。
【００５３】
また、図６に示すように、
一方の外壁材１Ａと他方の外壁材１Ｂを直交させて接合する箇所をさらに含み、
両外壁材１Ａ，１Ｂの裏実部１１，１２同士が対向されており、
両裏実部１１，１２の裏側に形成される空間Ｋ１に、
柱４などの下地材に固定される出隅用接合用役物５０の一部が納められた状態で外壁材１，１が接合されて出隅が構成されている、
こととするものである。
【００５４】
これにより、外壁材１を付け合せて出隅部を構成することが可能となり、出隅コーナー材を用いずに出隅を納めることができる。
【００５５】
また、図３（Ｂ）に示すように、
両裏実部１１，１２と接合用役物６の一部の間に止水材８が介設される、こととするものである。
【００５６】
これにより、止水材８により、接合部の止水性を高めることができる。
【００５７】
また、図２及び図５（Ａ）に示すごとく、
横方向に隣接される一方の外壁材１の裏実部１１と、他方の外壁材１の裏実部１２を接合する部位を含む外壁の施工方法であって、
一方の外壁材１の裏実部１１と、他方の外壁材１の裏実部１２を対向させることで両裏実部１１，１２の裏側に形成される空間に、柱４などの下地材に固定される接合用役物６の一部が挿入される工程、
を含むこととするものである。
【００５８】
これにより、防水性を確保した上で、左右の縦端部に裏実部１１，１２が構成される外壁材１，１同士を左右に隣り合わせて接合する構成を実現でき、外壁材１については左右勝手が同一のものとなるため、施工時においては左右を意識する必要がなく、施工マニュアルの簡素化や、作業性の向上が図られる。また、外壁材１が横方向にずれようとした場合には、裏実部１１，１２が接合用役物６に突き当たることで、外壁材１の横ズレを防止することができる。
【００５９】
また、図５（Ａ）（Ｂ）に示すごとく、
一方、及び／又は、他方の外壁材１を切断して横方向の幅寸法を調整する工程と、
切断された縦端面に新たな裏実部１５を加工する工程と、
新たな裏実部１５と既存の裏実部１１同士を対向させることで両裏実部１５，１１の裏側に形成される空間に、
又は、
新たな裏実部１５同士を対向させることで両裏実部１５，１１の裏側に形成される空間に、柱４などの下地材に固定される接合用役物６の一部が挿入される工程と、
をさらに含む、こととするものである。
【００６０】
これにより、施工現場において適宜外壁材の幅方向の寸法を調整して施工を行うことができる。
【００６１】
また、図６に示すごとく、
一方の外壁材１Ａと他方の外壁材１Ｂを直交させて接合する工程と、
一方の外壁材１Ａの裏実部１１と、他方の外壁材１Ｂの裏実部１２を対向させることで両裏実部１１，１２の裏側に形成される空間Ｋ１に、柱４などの下地材に固定される出隅用接合用役物５０の一部が挿入される工程と、
をさらに含む、こととするものである。
【００６２】
これにより、外壁材１を付け合せて出隅部を構成することが可能となり、出隅コーナー材を用いずに出隅を納めることができる。
【産業上の利用可能性】
【００６３】
本発明の構成は、窯業サイディングなどの板状の外壁材を用いる場合において、出隅部を構成する場合に広く適用することができる。
【符号の説明】
【００６４】
１    外壁材
４    柱
５    防水シート
６    接合用役物
８    止水材
１１    裏実部
１２    裏実部
５０    出隅用接合用役物
Ｋ    空間
Ｓ    接合部
【図１】
2017115328.tif 000003
【図２】
2017115328.tif 000004
【図３】
2017115328.tif 000005
【図４】
2017115328.tif 000006
【図５】
2017115328.tif 000007
【図６】
2017115328.tif 000008